(57)【要約】【課題】クリーニングブレードの材質に頼るクリーニングブレードのエッジの強度アップでなく、機械的形状でのエッジ強度アップを図るクリーニングブレードを備えた感光体クリーニング装置を提供することにある。【解決手段】弾性ブレードからなるクリーニングブレード２を対向方向に感光体１に当接させて、前記感光体１上に付着した転写残トナーを除去する感光体クリーニング装置において、前記クリーニングブレード２の前記感光体１に当接する隅部のエッジ断面角度が９０度よりも大きいことを特徴とする。【選択図】      図２
2004272019.tif 000002
【特許請求の範囲】
【請求項１】
弾性ブレードからなるクリーニングブレードを対向方向に感光体に当接させて、前記感光体上に付着した転写残トナーを除去する感光体クリーニング装置において、前記クリーニングブレードの前記感光体に当接する隅部のエッジ断面角度が９０度よりも大きい感光体クリーニング装置。
【請求項２】
前記エッジ断面角度が９０度から１３５度であることを特徴とする請求項１記載の感光体クリーニング装置。
【請求項３】
感光体クリーニングの補助クリーニング機構としてファーブラシを備えたことを特徴とする請求項１または２のいずれか１項記載の感光体クリーニング装置。
【請求項４】
前記感光体クリーニング装置と前記感光体が一体のユニットで構成されることを特徴とする請求項１ないし３のいずれか１項記載の感光体クリーニング装置。
【請求項５】
前記補助クリーニング機構として転写後除電を行う除電装置を備えたことを特徴とする請求項１ないし４のいずれか１項記載の感光体クリーニング装置。
【請求項６】
前記除電装置として、前記感光体に光をあてる除電ランプを備えたことを特徴とする請求項５記載の感光体クリーニング装置。
【請求項７】
前記除電装置として、前記感光体に電荷を与える放電器を備えたことを特徴とする請求項５記載の感光体クリーニング装置。
【発明の詳細な説明】
【０００１】
【発明の属する技術分野】
本発明は、電子写真装置において感光体をクリーニングするための感光体クリーニング装置に関するものである。
【０００２】
【従来の技術】
電子写真装置における感光体のクリーニング手段としてクリーニングブレードを感光体に対向して当接させてクリーニングさせるのが一般的なクリーニング手段となっている。
図３は従来の電子写真装置における感光体のクリーニング手段としてのクリーニングブレードのエッジと感光体を部分的に示す概略図である。図３に示すように感光体１に対向させる型式のクリーニングはクリーニングブレード２のエッジ２ａが微小に感光体１の回転方向に引っ張られた状態で行われている。
【０００３】
【発明が解決しようとする課題】
しかし、このようなクリーニングの形態であると、感光体１とクリーニングブレード２間の摩擦係数が高くなった場合、クリーニングブレード２のエッジ２ａの感光体１方向への反転量が増大し、クリーニングブレード２への負荷が増大する。
この状態であるとクリーニングブレード２のエッジ２ａの変形量が大きくなるためクリーニングブレード２のカット面に引っ張り方向の応力が増加してカット面に亀裂が入る不具合が生じる。亀裂が入るとクリーニングブレード２のエッジ２ａの強度が部分的に変化して、クリーニング不良を起こす場合がある。
クリーニングブレード２のエッジ２ａの強度を上げるには、クリーニングブレード２の特性値である３００％モジュラスを上げればよいが、３００％モジュラスが高いクリーニングブレード材質はクリーニングブレード硬度自体が高くなり、クリーニングブレード硬度が高くなることによる不具合（クリーニングブレードの当接ムラ、低温でのクリーニング不良）が発生する。
そこで本発明の目的は、上記従来の欠点を解決するために、クリーニングブレードの材質に頼るクリーニングブレードのエッジの強度アップでなく、機械的形状でのエッジ強度アップを図るクリーニングブレードを備えた感光体クリーニング装置を提供することにある。
【０００４】
【課題を解決するための手段】
上記目的を達成するために、請求項１記載の発明では弾性ブレードからなるクリーニングブレードを対向方向に感光体に当接させて、感光体上に付着した転写残トナーを除去する感光体クリーニング装置において、前記クリーニングブレードの前記感光体に当接する隅部のエッジ断面角度が９０度よりも大きい感光体クリーニング装置を最も主要な特徴とする。
請求項２記載の発明では、前記エッジ断面角度が９０度から１３５度である請求項１記載の感光体クリーニング装置を主要な特徴とする。
請求項３記載の発明では、感光体クリーニングの補助クリーニング機構としてファーブラシを備えた請求項１または２のいずれか１項記載の感光体クリーニング装置を主要な特徴とする。
請求項４記載の発明では、前記感光体クリーニング装置と前記感光体が一体のユニットで構成される請求項１ないし３のいずれか１項記載の感光体クリーニング装置を主要な特徴とする。
請求項５記載の発明では、前記補助クリーニング機構として転写後除電を行う除電装置を備えた請求項１ないし４のいずれか１項記載の感光体クリーニング装置を主要な特徴とする。
請求項６記載の発明では、前記除電装置として、前記感光体に光をあてる除電ランプを備えた請求項５記載の感光体クリーニング装置を主要な特徴とする。
請求項７記載の発明では、前記除電装置として、前記感光体に電荷を与える放電器を備えた請求項５記載の感光体クリーニング装置を主要な特徴とする。
【０００５】
【発明の実施の形態】
以下、本発明の実施の形態を図面に従って説明する。図１は本発明の感光体クリーニング装置が適用される画像形成装置を示す部分概略図である。図１の画像形成装置には、感光体１、この感光体１の表面を帯電する帯電手段３、感光体１上に静電潜像を形成する露光手段４、静電潜像を現像する現像手段５、この現像手段５でトナーによって可視像化された静電潜像を記録紙に転写する転写手段６（ローラ６ａ、転写ベルト６ｂ）が示されている。
さらに、転写位置よりも下流側の感光体１の周部には、トナー回収コイル７、ファーブラシ８、弾性ブレード２からなるクリーニング装置９が配置されている。図示したクリーニング装置の構成はクリーニングブレード２と補助クリーニングであるファーブラシ８とでなっている。
しかしながら、クリーニング装置９の構成はクリーニングブレード単品でも、ほかクリーニング前に除電ランプや除電チャージャ（放電器）等の除電手段（図示せず）を設けても良い。また、感光体１との一体ユニットになっていても良い。
【０００６】
図２は本発明による電子写真装置における感光体のクリーニング装置としてのクリーニングブレードのエッジと感光体を部分的に示す概略拡大図である。クリーニングブレード２は感光体１に当接するエッジ（隅部）２ａの角度が、９０度ではなく９０度より大きい角度（鈍角）を持っている。
この角度は最大１３５度までが望ましい。クリーニングブレード２のエッジ２ａの角度を大きくする、すなわち、鈍角にすることによってクリーニングブレード２のエッジ２ａの強度が向上する。
これによって実際のクリーニングの状況でクリーニングブレード２のエッジ２ａが感光体に引っ張られたときのエッジ剛性が増し、クリーニング不良を発生しにくくしている。
また、感光体クリーニング装置と感光体が一体のユニットで構成することにより、確実なクリーニング作業が可能になる。
また、補助クリーニング機構として転写後除電を行う除電装置を備えることにより、確実なクリーニング作業が可能になる。また、除電装置として、前記感光体に光をあてる除電ランプを用いることにより、確実なクリーニング作業が可能になる。
また、除電装置として、前記感光体に電荷を与える放電器を備えることにより、確実なクリーニング作業が可能になる。
【０００７】
【発明の効果】
以上説明したように、請求項１によれば、クリーニングブレードのエッジの断面角度を９０度よりも大きくしたので、クリーニングブレードのエッジ剛性を向上させることができ、クリーニング性を維持することができる。
請求項２によれば、クリーニングブレードのエッジの断面角度を９０度よりも大きく１３５度よりも小さくし、鈍角にすることでクリーニングブレードのエッジ剛性を向上させることができ、クリーニング性を維持することができる。
請求項３によれば、感光体クリーニングの補助クリーニング機構としてファーブラシを備えたので、クリーニング不良を発生しにくくなる。
請求項４によれば、感光体クリーニング装置と感光体が一体のユニットで構成されるので、確実なクリーニング作業が可能になる。
請求項５によれば、補助クリーニング機構として転写後除電を行う除電装置を備えたので、確実なクリーニング作業が可能になる。
請求項６によれば、除電装置として、前記感光体に光をあてる除電ランプを備えたので、確実なクリーニング作業が可能になる。
請求項７によれば、除電装置として、前記感光体に電荷を与える放電器を備えたので、確実なクリーニング作業が可能になる。
【図面の簡単な説明】
【図１】本発明の感光体クリーニング装置が適用される画像形成装置を示す部分概略図である。
【図２】本発明による電子写真装置における感光体のクリーニング装置としてクリーニングブレードのエッジと感光体を部分的に示す概略拡大図である。
【図３】従来の電子写真装置における感光体のクリーニング手段としてクリーニングブレードのエッジと感光体を部分的に示す概略図である。
【符号の説明】
１  感光体
２  クリーニングブレード
２ａ  クリーニングブレードのエッジ
【図１】
2004272019.tif 000003
【図２】
2004272019.tif 000004
【図３】
2004272019.tif 000005